(57)【要約】【課題】アスペクト比１６：９のハイビジョン映像を撮影するカムコーダの撮影用モニタ表示装置が低解像度でアスペクト比４：３の場合、一般的にはハイビジョン映像信号を縮小処理して表示するため、ユーザーが目視でフォーカス合わせをするのが困難であった。【解決手段】カムコーダで撮像したハイビジョン映像を記録再生や表示可能なハイビジョン映像信号に変換し、このハイビジョン映像信号を表示手段の解像度に応じた解像度に縮小処理してモニタ用映像信号を作成する。その一方で、ハイビジョン映像信号からフォーカス合わせの対象となる所定の画像領域を抽出し、この抽出領域の画像の解像度をハイビジョン映像信号の解像度に維持したままのフォーカス用映像信号を作成し、このフォーカス用映像信号と上記モニタ用映像信号を重畳して撮影用モニタ表示画面に例えば画面の上下に並べて表示する。【選択図】図１
2006033126.tif 000002
【特許請求の範囲】
【請求項１】
カメラ入力手段と、カメラ信号処理手段と、解像度変換手段と、フォーカス領域抽出手段と、多重手段および表示手段とを備えた撮影用モニタ表示装置であって、
前記カメラ入力手段は、アスペクト比が１６：９のハイビジョン映像を撮影してハイビジョンカメラ信号を出力し、
前記カメラ信号処理手段は、前記カメラ入力手段の出力であるハイビジョンカメラ信号を、ハイビジョン映像信号記録再生装置への記録再生やハイビジョン映像信号表示装置への表示が可能となるハイビジョン映像信号に変換して出力し、
前記解像度変換手段は、前記カメラ信号処理手段の出力信号であるハイビジョン映像信号を、前記表示手段の解像度に応じた解像度のモニタ用映像信号に変換して出力し、
前記フォーカス領域抽出手段は、前記カメラ信号処理手段の出力信号であるハイビジョン映像信号からフォーカス合わせのための所定の画像領域に対応するフォーカス用映像信号を抽出してハイビジョン映像信号の解像度を維持した前記フォーカス用映像信号を出力し、
前記多重手段は、前記モニタ用映像信号と前記フォーカス用映像信号とを、前記表示手段の画面上にお互いの表示画面領域を分割して同時に表示可能な映像信号となるように多重してこの多重信号を表示用多重映像信号として出力し、
前記表示手段は、前記多重手段の出力信号である表示用多重映像信号を表示することを特徴とする撮影用モニタ表示装置。
【請求項２】
予め形状と大きさと前記表示手段の画面上での表示位置が定められたフォーカス領域を、前記表示手段の画面上に前記モニタ用映像信号に重畳して表示し、前記フォーカス領域の位置を移動させその位置を特定するフォーカス位置決定手段により前記表示手段の画面上において前記フォーカス領域の位置を移動させて特定し、前記特定された前記フォーカス領域の位置が特定できる任意の点の前記表示手段の画面上における座標情報に基づいて、前記フォーカス領域抽出手段がフォーカス領域を抽出することを特徴とする請求項１記載の撮影用モニタ表示装置。
【請求項３】
フォーカスモード切替手段と表示用映像信号切替手段とをさらに有し、
前記フォーカスモード切替手段は、ユーザーの入力に応じてフォーカスモードをオートモードあるいはマニュアルモードのいずれかに切り替える切替制御信号を出力し、
前記表示用映像信号切替手段は、前記解像度変換手段の出力信号であるモニタ用映像信号と前記多重手段の出力信号である表示用多重映像信号とが入力され、前記フォーカスモード切替手段の出力信号である切替制御信号に基づいて、前記切替制御信号がオートモードに切り替える切替制御信号の場合は前記解像度変換手段の出力信号であるモニタ用映像信号を、また、前記切替制御信号がマニュアルモードに切り替える切替制御信号の場合は前記多重手段の出力信号である表示用多重映像信号を、それぞれ出力するように切り替えて前記表示手段に表示することを特徴とする請求項１記載の撮影用モニタ表示装置。
【発明の詳細な説明】
【技術分野】
【０００１】
本発明は、１６：９のアスペクト比で構成されるハイビジョン映像を撮影するカムコーダにおける撮影用モニタ表示装置に関するもので、特に撮影時のフォーカス合わせに関するものである。
【背景技術】
【０００２】
従来は、１６：９のアスペクト比で構成されるハイビジョン映像を撮影するカムコーダにおいては、撮影時のモニタ表示装置は、解像度がハイビジョン映像とは異なる低解像度で且つ４：３のアスペクト比の映像画面で表示される場合がほとんどであり、一般的には以下に示す２つの表示方法が用いられていた。例えば、特許文献１には、以下に示す２つの表示方法の内の１つであるレターボックス表示方法を実現する従来技術が提示されている。
（１）スクィーズ表示方法：
アスペクト比を１６：９から４：３へ変換し、同時に解像度変換処理（縮小処理）を施して表示する方法。
（２）レターボックス表示方法：
１６：９のアスペクト比を維持したまま、アスペクト比が４：３の画面の中央にアスペクト比が１６：９の縮小画像を表示し、画面上下の映像信号のない領域は黒画像等を表示する方法。
【０００３】
上記した従来の２つの表示方法について、その表示装置の構成例と表示手段への表示例を、それぞれ図３と図４に示す。
【０００４】
図３は従来の撮影用モニタ表示装置の一例を示すブロック図である。図３において、１０１はカメラ入力手段、１０２はカメラ信号処理手段、１０３は解像度変換手段、１０７は表示制御手段、１０６は表示手段である。アスペクト比１６：９のハイビジョン映像を撮影しハイビジョンカメラ信号２０１を出力するカメラ入力手段１０１の出力信号２０１はカメラ信号処理手段１０２に入力され、ここでハイビジョンカメラ信号２０１はハイビジョン映像記録再生装置やハイビジョン映像表示装置に記録再生や表示が可能となる信号に処理される。カメラ信号処理手段１０２の出力信号であるハイビジョン映像信号２０２は解像度変換手段１０３に入力され、ここで後述する表示手段１０６の解像度に応じた解像度に変換される。
【０００５】
解像度変換手段１０３から出力されたモニタ用映像信号２０３は表示制御手段１０７を通して表示用映像信号（１）２０５として表示手段１０６に入力され、撮影用モニタ表示映像として表示手段１０６に表示される。
【０００６】
図４は従来の撮影用モニタ表示の表示例を示す図である。図４において、（ａ）は入力信号であるハイビジョン映像信号であって、水平解像度がＨ＝１９２０画素、垂直解像度がＶ＝１０８０画素（以下、画素は省略して表記する）、アスペクト比が１６：９の映像信号の画像の表示例を示す図である。（ｂ）は、（ａ）の入力ハイビジョン映像信号の画像の表示例に対応する撮影用モニタ表示をスクィーズ表示方法で表示した場合の画像表示の一例を示す図であり、アスペクト比が１６：９から４：３に変換され、同時に解像度が低解像度に変換処理された画像表示となっている。また（ｃ）は、（ａ）の入力ハイビジョン映像信号の画像の表示例に対応する撮影用モニタ表示をレターボックス表示方法で表示した場合の画像表示の一例を示す図であり、１６：９のアスペクト比は維持されたまま、アスペクト比が４：３の画面の中央に、アスペクト比が１６：９で解像度が低解像度に変換された画像（縮小画像）が表示され、画面上下の映像信号のない領域は黒画像が表示されている。
【０００７】
なお、上記の表示方法では、ハイビジョン映像信号の解像度が、水平解像度がＨ＝１９２０、垂直解像度がＶ＝１０８０の場合を例に取って示したが、ハイビジョン映像信号の解像度が、水平解像度がＨ＝１２８０、垂直解像度がＶ＝７２０の場合も同様である。
【特許文献１】特開平７−２４００９４号公報
【発明の開示】
【発明が解決しようとする課題】
【０００８】
しかしながら、ハイビジョン映像を撮影するカムコーダにおいて、撮影用モニタ表示を従来のスクィーズ表示方法で表示した場合は、垂直方向に比べて水平方向に強く縮小されるために表示される画像が縦長になるばかりでなく解像度が低解像度に変換された画像（縮小画像）となり、解像度が低下するためユーザーが目視でフォーカス合わせをするのが困難であった。
【０００９】
また、ハイビジョン映像を撮影するカムコーダにおいて、撮影用モニタ表示を従来のレターボックス表示方法で表示した場合は、１６：９のアスペクト比は維持されるが、従来方法のスクィーズ表示方法で表示する場合より解像度がより低解像度に変換（画像がより縮小）され、解像度が一層低下するためユーザーが目視でフォーカス合わせをするのがさらに困難であった。
【課題を解決するための手段】
【００１０】
上記課題を解決するために、第１の本発明（請求項１に対応）は、
カメラ入力手段と、カメラ信号処理手段と、解像度変換手段と、フォーカス領域抽出手段と、多重手段および表示手段とを備えた撮影用モニタ表示装置であって、
前記カメラ入力手段は、アスペクト比が１６：９のハイビジョン映像を撮影してハイビジョンカメラ信号を出力し、前記カメラ信号処理手段は、前記カメラ入力手段の出力であるハイビジョンカメラ信号を、ハイビジョン映像信号記録再生装置への記録再生やハイビジョン映像信号表示装置への表示が可能となるハイビジョン映像信号に変換して出力し、
前記解像度変換手段は、前記カメラ信号処理手段の出力信号であるハイビジョン映像信号を、前記表示手段の解像度に応じた解像度のモニタ用映像信号に変換して出力し、前記フォーカス領域抽出手段は、前記カメラ信号処理手段の出力信号であるハイビジョン映像信号からフォーカス合わせのための所定の画像領域に対応するフォーカス用映像信号を抽出してハイビジョン映像信号の解像度を維持した前記フォーカス用映像信号を出力し、前記多重手段は、前記モニタ用映像信号と前記フォーカス用映像信号とを、前記表示手段の画面上にお互いの表示画面領域を分割して同時に表示可能な映像信号となるように多重してこの多重信号を表示用多重映像信号として出力し、前記表示手段は、前記多重手段の出力信号である表示用多重映像信号を表示することを特徴とする撮影用モニタ表示装置である。
【００１１】
第２の本発明（請求項２に対応）は、
予め形状と大きさと前記表示手段の画面上での表示位置が定められたフォーカス領域を、前記表示手段の画面上に前記モニタ用映像信号に重畳して表示し、前記フォーカス領域の位置を移動させその位置を特定するフォーカス位置決定手段により前記表示手段の画面上において前記フォーカス領域の位置を移動させて特定し、前記特定された前記フォーカス領域の位置が特定できる任意の点の前記表示手段の画面上における座標情報に基づいて、前記フォーカス領域抽出手段がフォーカス領域を抽出することを特徴とする第１の本発明に記載の撮影用モニタ表示装置である。
【００１２】
第３の本発明（請求項３に対応）は、
フォーカスモード切替手段と表示用映像信号切替手段とをさらに有し、
前記フォーカスモード切替手段は、ユーザーの入力に応じてフォーカスモードをオートモードあるいはマニュアルモードのいずれかに切り替える切替制御信号を出力し、
前記表示用映像信号切替手段は、前記解像度変換手段の出力信号であるモニタ用映像信号と前記多重手段の出力信号である表示用多重映像信号とが入力され、前記フォーカスモード切替手段の出力信号である切替制御信号に基づいて、前記切替制御信号がオートモードに切り替える切替制御信号の場合は前記解像度変換手段の出力信号であるモニタ用映像信号を、また、前記切替制御信号がマニュアルモードに切り替える切替制御信号の場合は前記多重手段の出力信号である表示用多重映像信号を、それぞれ出力するように切り替えて前記表示手段に表示することを特徴とする第１の本発明に記載の撮影用モニタ表示装置である。
【発明の効果】
【００１３】
本発明の撮影用モニタ表示装置は、アスペクト比が１６：９のハイビジョン映像を撮影するカムコーダにおいて、撮影時のモニタ表示が、低解像度で４：３のアスペクト比で表示される状況においても、全体の撮影構図決めと、フォーカス合わせを同時に行うことが可能となる。特に、フォーカス合わせをするためのフォーカス用画像は、解像度変換処理を行わずハイビジョン映像信号の解像度を維持した状態で撮影用モニタ表示装置に表示されるため、フォーカス合わせを容易にかつ精度よく行うことができる。
【００１４】
また、本発明の撮影用モニタ表示装置は、撮影画面上でのフォーカス領域の位置をユーザの意志に応じて任意に可変することができるので、ユーザが最もフォーカスを合わせ易いと思う撮影対象を見ながらフォーカス合わせを行うことができる。
【００１５】
また、本発明の撮影用モニタ表示装置は、オートモードかマニュアルモードかのいずれかのフォーカスモードに切り替える動作に連動して、オートモードの場合は、フォーカス合わせのための表示をせず通常のレターボックス表示あるいはスクィーズ表示をし、マニュアルモードの場合は、フォーカス合わせのための表示をするように切り替えるので、オートモードの場合に無駄な表示をなくし、全体の撮影構図決めに集中することが可能となる。
【発明を実施するための最良の形態】
【００１６】
以下、図面を参照しながら、本発明に係る実施の形態について説明する。
【００１７】
（実施の形態１）
図１は、本発明の実施の形態１の撮影用モニタ表示装置の構成を示すブロック図である。図１において、１０１はカメラ入力手段、１０２はカメラ信号処理手段、１０３は解像度変換手段、１０４はフォーカス領域抽出手段、１０５は多重手段、１０６は例えばアスペクト比が４：３で解像度が水平解像度Ｈ＝６４０、垂直解像度Ｖ＝４８０の表示手段である。
【００１８】
カメラ入力手段１０１は、アスペクト比が１６：９のハイビジョン映像を撮影し、ハイビジョンカメラ信号２０１を出力する。
【００１９】
カメラ信号処理手段１０２は、入力されたハイビジョンカメラ信号２０１をハイビジョン映像信号記録再生装置への記録再生やハイビジョン映像信号表示装置への表示が可能となるハイビジョン映像信号２０２に変換し、この変換したハイビジョン映像信号２０２を出力する。このハイビジョン映像信号２０２の解像度は、例えば、水平解像度がＨ＝１９２０、垂直解像度がＶ＝１０８０である。
【００２０】
解像度変換手段１０３は、入力されたハイビジョン映像信号２０２を表示手段１０６の解像度に応じた解像度のモニタ用映像信号２０３に変換し、この変換したモニタ用映像信号２０３を出力する。このモニタ用映像信号２０３の解像度およびアスペクト比は、例えば、水平解像度がＨ＝６４０、垂直解像度がＶ＝３６０でアスペクト比が４：３であり、表示手段１０６の表示画面サイズ（水平方向Ｈ１が６４０、垂直方向Ｖ１が４８０）に占める画像のサイズは、水平方向がＨ１で６４０、垂直方向Ｖ２が３６０である。
【００２１】
フォーカス領域抽出手段１０４は、カメラ信号処理手段１０２の出力信号であるハイビジョン映像信号２０２から、例えば表示される映像の画面上での中心部分など、フォーカス合わせのための所定の画像領域に対応する映像信号を抽出し、この抽出した映像信号の解像度はハイビジョン映像信号の解像度を維持した状態でフォーカス用映像信号２０４として出力する。このフォーカス用映像信号２０４の解像度およびアスペクト比は、例えば、水平解像度がＨ＝１９２０、垂直解像度がＶ＝１０８０でアスペクト比が１６：９であり、ハイビジョン映像信号として抽出された所定の画像領域の表示手段１０６（表示画面サイズは水平方向Ｈ１が６４０、垂直方向Ｖ１が４８０）における画像のサイズは、水平方向がＨ１で６４０、垂直方向Ｖ３が１２０である。
【００２２】
多重手段１０５は、例えば、モニタ用映像信号２０３とフォーカス用映像信号２０４とを同一画面上に上下に並べ、画面サイズが水平方向がＨ１で６４０、垂直方向がＶ１で４８０の表示画像となるように多重し、この多重した映像信号を表示用多重映像信号２０８として出力し表示手段１０６に表示する。
【００２３】
なお、多重手段１０５において表示用多重映像信号２０８を生成する方法は、例えば、モニタ用映像信号２０３とフォーカス用映像信号２０４を多重手段１０５が内蔵するメモリ手段にそれぞれ一旦記憶し、この記憶したそれぞれの映像信号を、表示手段１０６における表示領域や表示位置を考慮し、表示手段１０６の表示速度すなわち水平同期周波数と垂直同期周波数に応じて読み出すという公知技術により生成することができる。
【００２４】
図２に本発明の実施の形態１の撮影用モニタ表示装置における画像の表示例を示す。図２において、（ａ）はハイビジョン映像信号の画像の表示例、（ｂ）は撮影用モニタ画面の表示画像の一例である。図２の（ａ）は、入力信号であるハイビジョン映像信号の画像で、水平解像度がＨ＝１９２０、垂直解像度がＶ＝１０８０、アスペクト比が１６：９の映像信号の画像例を示したものであるが、解像度がＨ＝１２８０、Ｖ＝７２０、アスペクト比が１６：９のハイビジョン映像信号の画像であっても構わない。図２の（ｂ）は、表示手段１０６の解像度が水平解像度Ｈ＝６４０、垂直解像度Ｖ＝４８０、アスペクト比が４：３の場合の例を示したものであるが、解像度が水平解像度Ｈ＝３２０、垂直解像度Ｖ＝２４０、アスペクト比が４：３であっても構わない。要するに表示手段１０６は、解像度がハイビジョン映像信号の解像度よりも低く、かつアスペクト比が４：３であるなど、その表示画面のサイズが、ハイビジョン映像信号に比べて水平方向よりも垂直方向の比率が大きければよい。
【００２５】
図２の（ｂ）に一例を示す様に、本発明による撮影用モニタ画面の表示画像は、モニタ用映像信号２０３が表示されたモニタ用画像とフォーカス用映像信号２０４が表示されたフォーカス用画像が多重合成された画面となっており、両方の画像を同時に見ることができるようになっている。図２の（ｂ）の表示例では、モニタ用画像が上、フォーカス用画像が下になるように多重合成されているが、モニタ用画像が下、フォーカス用画像が上になるように多重合成されていても構わない。
【００２６】
以上のように、本発明により、アスペクト比が１６：９で構成されるハイビジョン映像を撮影するカムコーダにおいて、撮影時の撮影用モニタ表示装置が低解像度でかつアスペクト比が４：３で表示される状況においても、撮影時の全体画像すなわちモニタ用画像とフォーカス用画像を同一画面上に同時に表示できるので、従来と同様に画面全体の構図決めとフォーカス合わせを同時に実行することが可能であり、かつフォーカス合わせをするためのフォーカス用画像は、解像度変換処理を行わずハイビジョン映像信号の解像度を維持した状態で撮影用モニタ表示装置に表示されるため、フォーカス合わせを容易にかつ精度よく行うことが可能である。
【００２７】
また、上記の例では、モニタ用映像信号２０３が表示されたモニタ用画像とフォーカス用映像信号２０４が表示されたフォーカス用画像とが上下に並べられた状態でその境界がはっきりしないが、これら両画像の境界がはっきりするように、例えば水平方向に適当な幅を持った境界線を設けるようにしてもよい。なお、この境界線の色は黒であっても他の色であってもよい。この境界線を設けることにより、画面全体の構図決めとフォーカス合わせをより実行し易くできるという効果を得ることができる。
【００２８】
（実施の形態２）
図５は、本発明の実施の形態２の撮影用モニタ表示装置の構成を示すブロック図である。本発明の実施の形態２の撮影用モニタ表示装置の構成は、実施の形態１の構成にフォーカス位置決定手段１０８を追加した構成であるので、実施の形態１と同じ機能のブロックについては同一番号を付与して説明を省略し、ここでは追加部分についてのみ説明する。
【００２９】
フォーカス位置決定手段１０８は、ユーザーにより設定されるユーザー設定／入力２０６に基づいて、撮影画像からフォーカス対象とする撮影画像領域（フォーカス領域）の位置を示すフォーカス位置を決定し、このフォーカス位置を特定するフォーカス位置情報２０７をフォーカス領域抽出手段１０４に出力する。フォーカス領域抽出手段１０４は、入力されたフォーカス位置情報２０７に基づいてフォーカス領域を抽出し、フォーカス用映像信号２０４を出力する。
【００３０】
次に、図６を用いて本発明の実施の形態２におけるフォーカス位置を変更する方法を説明する。図６は図２の（ｂ）に示した撮影用モニタ画面の表示画像の一例におけるモニタ用画像の表示部と同一のものである。図中に一例として示した長方形状の破線ｄで囲った領域Ｄは、形状と大きさが予め定められたフォーカス領域を示す表示であり、通常は例えば撮影画像の中央部に設定されており、ユーザがその位置を変えたい時に位置を変えることができる構成になっている。また、このフォーカス領域Ｄの表示は、フォーカス位置を決定あるいは変更する場合のみ撮影用モニタ画面に表示し、それ以外の場合は消去するようにすることができる。モニタ用画面においてフォーカス領域Ｄを表示した状態で、例えば十字キーのようなフォーカス領域移動ボタン等の所定のボタンを用いてモニタ用画面上でフォーカスを合わせ易い画柄部分等にフォーカス領域Ｄを移動させフォーカス領域Ｄの位置を特定する（フォーカス位置決定手段１０８）。このときの位置を例えばフォーカス領域Ｄの境界線上にある任意の点Ａ（ｘ、ｙ）の座標情報（フォーカス位置情報２０７）を用いて、フォーカス領域抽出手段１０４にて指定する。
【００３１】
以上のように、本発明では、ユーザー入力に応じて、フォーカス領域を撮影対象の任意の位置を選択した上でフォーカス合わせをするための表示を行うことにより、最もフォーカスを合わせ易い撮影対象を見ながらフォーカス合わせをすることが可能となる。
【００３２】
（実施の形態３）
図７に本発明の実施の形態３の撮影用モニタ表示装置のブロック図を示す。本発明の実施の形態３の撮影用モニタ表示装置の構成は、実施の形態１の構成に表示用映像信号切替手段１０９と、フォーカスモード切替手段１１０を追加した構成であるので、実施の形態１と同じ機能のブロックについては同一番号を付与して説明を省略し、ここでは追加部分についてのみ説明する。
【００３３】
表示用映像信号切替手段１０９は、解像度変換手段１０３からのモニタ用映像信号２０３と、多重手段１０５からの表示用多重映像信号２０８とが入力され、ユーザーにより入力されるユーザー入力２０９に応じて、フォーカスモードをオートモードかマニュアルモードかのいずれかに切り替えるフォーカスモード切替手段１１０からの切替制御信号２１０に基づいて、表示用映像信号（２）２１１として表示手段１０６に出力する。
【００３４】
以上のように、本発明では、オートモードかマニュアルモードかのいずれかのフォーカスモードに切り替える動作に連動して、オートモードの場合は、フォーカス合わせのための表示をせず、通常のレターボックス表示あるいはスクィーズ表示をし、マニュアルモードの場合は、フォーカス合わせの表示をするように切り替えることができ、オートモードの場合には無駄な表示をなくし、全体の撮影構図決めに集中することが可能となる。
【産業上の利用可能性】
【００３５】
本発明の撮影用モニタ表示装置は、アスペクト比が１６：９のハイビジョン映像を撮影するカムコーダにおいて、マニュアル操作でフォーカスを合わせる際のモニタ画面表示用途として有用である。
【図面の簡単な説明】
【００３６】
【図１】本発明の実施の形態１の撮影用モニタ表示装置のブロック図
【図２】本発明の実施の形態１の撮影用モニタ表示装置における画像の表示例を示す図で、（ａ）ハイビジョン映像信号の画像の表示例を示す図、（ｂ）撮影用モニタ画面の表示画像の一例を示す図
【図３】従来の撮影用モニタ表示装置の一例を示すブロック図
【図４】従来の撮影用モニタ表示の例を示す図で、（ａ）ハイビジョン映像信号の画像の表示例を示す図、（ｂ）（ａ）の画像に対応するスクィーズ表示を示す図、（ｃ）（ａ）の画像に対応するレターボックス表示を示す図
【図５】本発明の実施の形態２の撮影用モニタ表示装置のブロック図
【図６】本発明の実施の形態２のフォーカス位置の変更方法を説明する図
【図７】本発明の実施の形態３の撮影用モニタ表示装置のブロック図
【符号の説明】
【００３７】
１０１  カメラ入力手段
１０２  カメラ信号処理手段
１０３  解像度変換手段
１０４  フォーカス領域抽出手段
１０５  多重手段
１０６  表示手段
１０７  表示制御手段
１０８  フォーカス位置決定手段
１０９  切替手段
１１０  フォーカスモード切替手段
２０１  ハイビジョンカメラ信号
２０２  ハイビジョン映像信号
２０３  モニタ用映像信号
２０４  フォーカス用映像信号
２０５  表示用映像信号（１）
２０６  ユーザー設定／入力
２０７  フォーカス位置情報
２０８  表示用多重映像信号
２０９  ユーザー入力
２１０  切替制御信号
２１１  表示用映像信号（２）
【図１】
2006033126.tif 000003
【図２】
2006033126.tif 000004
【図３】
2006033126.tif 000005
【図４】
2006033126.tif 000006
【図５】
2006033126.tif 000007
【図６】
2006033126.tif 000008
【図７】
2006033126.tif 000009